(57)【要約】  切削インサートは、第１の面と、第２の面と、それらの間に延在する周面と、第１および第２の面の間に延在し、孔軸を有するインサート孔とを含んでいる。孔軸と垂直に取ったインサート孔の少なくとも一部の断面は、楕円形を有している。切削インサートは更に、第１および第２の面のうちの少なくとも１つの上に備えられ、インサート孔の少なくとも一部の断面楕円形の配向を示す記号も含んでいる。
2015506281.tif 000002
【特許請求の範囲】
【請求項１】
切削インサート（１００）であって、
第１の面（１０２）と、第２の面（１０４）と、それらの間に延在する周面（１０６）と、
前記第１および第２の面（１０２、１０４）の間に延在し、孔軸（Ａ）を有するインサート孔（１０８）であって、前記孔軸（Ａ）と垂直に取った前記インサート孔（１０８）の少なくとも一部（１１０）の断面が、楕円形（１１８）を有するインサート孔（１０８）と、
前記第１および第２の面（１０２、１０４）のうちの少なくとも１つの上に備えられ、前記インサート孔（１０８）の前記少なくとも一部（１１０）の前記断面楕円形（１１８）の配向を示す記号（１１２、１６２、１７２）と、
を含む、切削インサート（１００）。
【請求項２】
前記記号（１１２、１６２、１７２）は、少なくとも１つの曲線（１１１）の形である請求項１に記載の切削インサート（１００）。
【請求項３】
前記少なくとも１つの曲線（１１１）は、楕円形仮想線（１１４）の少なくとも一部と一致する請求項２に記載の切削インサート（１００）。
【請求項４】
前記インサート孔（１０８）の前記少なくとも一部（１１０）の前記断面の前記楕円形（１１８）は、一次寸法（Ｐ１）を有し、
前記インサート孔（１０８）は、外形直径（Ｌ）を有する円形開口外形（１１７）において前記第１の面（１０２）に開口しており、
前記楕円形仮想線（１１４）は、長寸法（Ｄ１）および垂直な短寸法（Ｄ２）を有し、前記長寸法（Ｄ１）は、前記短寸法（Ｄ２）よりも大きく、前記長寸法（Ｄ１）の配向は、前記一次寸法（Ｐ１）の配向と類似しており、前記短寸法（Ｄ２）は、前記外形直径（Ｌ）よりも小さく、
前記記号（１１２）は、前記楕円形仮想線（１１４）上で、前記インサート孔（１０８）の両側に位置する２つの曲線（１１１）を含む、
請求項３に記載の切削インサート（１００）。
【請求項５】
前記インサート孔（１０８）の前記少なくとも一部（１１０）の前記断面の前記楕円形（１１８）は、一次寸法（Ｐ１）を有し、
前記インサート孔（１０８）は、外形直径（Ｌ）を有する円形開口外形（１１７）において前記第１の面（１０２）に開口しており、
前記楕円形仮想線（１１４）は、長寸法（Ｄ１）および垂直な短寸法（Ｄ２）を有し、前記長寸法（Ｄ１）は、前記短寸法（Ｄ２）よりも大きく、前記長寸法（Ｄ１）の配向は、前記一次寸法（Ｐ１）の配向と類似しており、前記短寸法（Ｄ２）は、前記外形直径（Ｌ）よりも大きく、
前記記号（１６２）は前記楕円形仮想線（１１４）上に位置し、前記開口外形（１１７）を囲む、
請求項３に記載の切削インサート（１００）。
【請求項６】
前記インサート孔（１０８）の前記少なくとも一部（１１０）の前記断面の前記楕円形（１１８）は、一次寸法（Ｐ１）および垂直な二次寸法（Ｐ２）を有し、前記一次寸法（Ｐ１）は、前記二次寸法（Ｐ２）よりも大きく、
前記記号（１７２）は、少なくとも１つの矢印（１７４）を有し、前記矢印（１７４）は、前記二次寸法（Ｐ２）と実質的に平行である、
請求項１に記載の切削インサート（１００）。
【請求項７】
第１の面（１０２）と、第２の面（１０４）と、それらの間に延在する周面（１０６）と、前記第１および第２の面（１０２、１０４）の間に延在し、孔軸（Ａ）を有するインサート孔（１０８）であって、前記孔軸（Ａ）と垂直に取った前記インサート孔（１０８）の少なくとも一部（１１０）の断面が、楕円形（１１８）を有するインサート孔（１０８）と、を有する切削インサート（１００）を作成する方法であって、
前記切削インサート（１００）の前記第１および第２の面（１０２、１０４）のうちの少なくとも１つに、前記インサート孔（１０８）の前記少なくとも一部（１１０）の前記断面楕円形（１１８）の配向を示すための記号（１１２、１６２、１７２）を刻印する手順を含む、
切削インサートを作成する方法。
【請求項８】
前記刻印する手順は、レーザーマーキングによって行われる請求項７に記載の切削インサートを作成する方法。
【請求項９】
前記刻印する手順は、彫刻によって行われる請求項７に記載の切削インサートを作成する方法。
【請求項１０】
前記刻印する手順は、前記切削インサートを形成するために用いられる金型に前記記号を組み込むことによって行われる請求項７に記載の切削インサートを作成する方法。
【請求項１１】
切削インサート（１００）であって、
第１の面（１０２）と、第２の面（１０４）と、それらの間に延在する周面（１０６）と、
前記第１および第２の面（１０２、１０４）の間に延在し、孔軸（Ａ）を有するインサート孔（１０８）であって、前記孔軸（Ａ）と垂直に取った前記インサート孔（１０８）の少なくとも一部（１１０）の断面が、前記インサート孔断面の第１の最大寸法と、前記インサート孔断面の第２の横断寸法とによって画成される関連する最小外接矩形（１１３）を有し、前記横断寸法が前記最大寸法と垂直であるインサート孔（１０８）と、
前記第１および第２の面（１０２、１０４）のうちの少なくとも１つの上に備えられ、前記最小外接矩形（１１３）の配向を示す記号（１１２、１６２、１７２）と、
を含む、切削インサート（１００）。
【発明の詳細な説明】
【技術分野】
【０００１】
発明の分野
本発明は、金属切削プロセスに使用するための切削インサート、および、かかる切削インサートを作成する方法に関する。
【背景技術】
【０００２】
発明の背景
切削体に脱着可能に固定される切削インサートは、切刃の近傍に、適切な硬質材料、すなわち、超硬合金を備えており、摩耗または破損した切削インサートを廃棄した後、より硬質ではない材料から製造される切削体を再利用できる。切削インサートは、作業中に、工作物に対して切削インサートを保持し、支持するため、工具本体の周囲に位置するインサート受けポケット内部にクランプされる。切削インサートは、当該技術において、操作者に切削インサートの割り出し方向を示すよう、印または記号をその上に有することが知られている。
【０００３】
DeRocheらに発行された、「Milling Cutter with Tangentially Mounted Inserts」という名称の米国特許第７，００８，１４６号は、第１および第２のフェース面、第１および第２の長刃面、および第１および第２のアール状短刃面を含むフライス工具用の割出し可能切削インサートを対象とする。各長刃面は、実質的に平坦な中央プラトーから、第１の切子面を通り、第１の切子面近傍の第２の切子面を通り、第１および第２のアール状短刃面のうちの１つに対して第２の切子面近傍の第３の切子面を通って延在する一次切刃を画成している。第２の切子面は、第１の切子面と第３の切子面との間に配設される。切削インサートは、切削工具内での切削インサートの位置決めを支援する位置決めディンプルを含んでいる。
【０００４】
Arthurに発行された、「Indexable Cutting Insert with Indexing Marks」という名称の米国特許第６，１９０，０９６号は、すくい面および逃げ面を呈する割出し可能切削インサートを対象とする。すくい面および逃げ面は、交差して略円形の切刃を形成している。逃げ面およびすくい面のうちの少なくとも１つは、その上に、円形切削インサートの複数の個別割出し可能位置を示すよう、視覚的に知覚可能な印を有している。
【０００５】
Kasperikらに発行された、「Cutting Insert with Universal Identification」という名称の米国特許第６，１２３，４８８号は、その上面に刻印される三角形記号を備える切削インサートを対象とする。各記号内の三角形の数は、切削インサートが最良に機能する切削範囲を示している。記号により、機械の操作者は、切削インサートが、ある極端な場合において荒加工用途に、また別の極端な場合において精密仕上げ加工用途に、ならびにそれらの間の中間的な使用にも、適しているかどうかを判断できる。記号は、英数字ではない形状を含んでおり、単一の形状は、荒加工から仕上げ加工用途までの使用を示すよう異なる数量で与えられるのが好ましい。記号は、それらの関連する切刃と略垂直に位置決めされて、その切刃に対して推奨される使用の種類を示している。記号が各切刃と関連している場合、かかる記号は、各切刃近傍で対称的に離間されてもよい。単一の記号のみ存在する場合、かかる記号は、切削インサートの非活動領域のいずれの場所に配置されてもよい。
【０００６】
Hechtに対する、「Cutting Insert and Cutting Insert Assembly」という名称の米国特許出願公開第２０１０／０２７２５２２号は、ポケット孔を備えるインサートポケットと、切削インサートと、切削インサートをインサートポケットに結合する締結部材とを有する切削インサートアセンブリを対象とする。切削インサートは、切削インサート孔と、第１の面と、第２の面と、それらの間に延在する周面とを有している。第１および第２の面は、それぞれ第１および第２の周縁において周面と接触し、第１および第２の周縁のうちの少なくとも１つの少なくとも一部は、切刃を形成している。切削インサート孔は、少なくとも２つの部分を有し、そのうち最も小さなものは、締結部材をポケット孔から完全に取り外す必要なく、切削インサートの素早い交換または割出しを可能にする楕円形断面を有している。
【発明の概要】
【発明が解決しようとする課題】
【０００７】
操作者が切削インサートをインサート受けポケットから取り外すために切削インサートに近づく場合、インサートを締結部材から外すのに必要な切削インサートの回転方向を示すであろう切削インサート孔部の楕円形の配向を判断するのに困難な場合がある。この困難さは、切削インサートおよび切削インサート孔の小ささ、締結部材がまだその内部に存在している間のインサート孔の乏しい照明条件等により生じる恐れがある。
【０００８】
本発明の目的は、改良された切削インサート、およびその作成方法を提供することにあり、切削インサートは、その上にそのインサート孔の非円形断面の配向を示す印または記号を有している。
【課題を解決するための手段】
【０００９】
発明の概要
本発明によれば、第１の面と、第２の面と、それらの間に延在する周面とを含む切削インサートが提供される。切削インサートは更に、第１および第２の面の間に延在し、孔軸を有するインサート孔を含んでいる。孔軸と垂直に取ったインサート孔の少なくとも一部の断面は、楕円形を有している。切削インサートは更に、第１および第２の面のうちの少なくとも１つの上に備えられ、インサート孔の少なくとも一部の断面楕円形の配向を示す記号も含んでいる。
【００１０】
本発明の別の実施形態によれば、第１の面と、第２の面と、それらの間に延在する周面と、第１および第２の面の間に延在し、孔軸を有するインサート孔とを有する切削インサートを作成する方法が提供される。インサート孔は、孔軸と垂直に取った楕円形断面を備える少なくとも一部を有している。方法は、切削インサートの第１および第２の面のうちの少なくとも１つに、インサート孔の少なくとも一部の断面楕円形の配向を示すための記号を刻印する手順を含んでいる。
【００１１】
本発明の更なる実施形態によれば、第１の面と、第２の面と、それらの間に延在する周面とを含む切削インサートが提供される。切削インサートはまた、第１および第２の面の間に延在し、孔軸を有するインサート孔も含んでいる。孔軸と垂直に取ったインサート孔の少なくとも一部の断面は、関連する最小外接矩形を有している。最小外接矩形は、インサート孔断面の第１の最大寸法と、インサート孔断面の第２の横断寸法とによって画成され、横断寸法は、最大寸法と垂直である。記号は、第１および第２の面のうちの少なくとも１つの上に備えられ、最小外接矩形の配向を示している。
【００１２】
図面の簡単な説明
より良好な理解のため、本発明をここで、例示のみにより、一点鎖線が部材の部分的な図に対し断面境界を示す添付図面を参照して説明する。
【図面の簡単な説明】
【００１３】
【図１Ａ】図１Ａは、開示技術の実施形態による矩形割出し可能切削インサートの斜視図である。
【図１Ｂ】図１Ｂは、図１Ａの割出し可能切削インサートの平面図である。
【図２Ａ】図２Ａは、開示技術の別の実施形態による菱形割出し可能切削インサートの斜視図である。
【図２Ｂ】図２Ｂは、図２Ａの割出し可能切削インサートの平面図である。
【図３Ａ】図３Ａは、開示技術の更なる実施形態による平行四辺形割出し可能切削インサートの斜視図である。
【図３Ｂ】図３Ｂは、図３Ａの割出し可能切削インサートの平面図である。
【図４Ａ】図４Ａは、開示技術の別の実施形態による平行四辺形割出し可能切削インサートの斜視図である。
【図４Ｂ】図４Ｂは、図４Ａの割出し可能切削インサートの平面図である。
【図５Ａ】図５Ａは、開示技術の更なる実施形態による平行四辺形割出し可能切削インサートの斜視図である。
【図５Ｂ】図５Ｂは、図５Ａの割出し可能切削インサートの平面図である。
【図６Ａ】図６Ａは、開示技術の更なる実施形態による矩形割出し可能切削インサートの斜視図である。
【図６Ｂ】図６Ｂは、図６Ａの割出し可能切削インサートの平面図である。
【図７】図７は、開示技術の別の実施形態による割出し可能切削インサートの平面図である。
【発明を実施するための形態】
【００１４】
発明の詳細な説明
本発明は、孔の配向を示す印を有する切削インサートおよびその作成方法に関し、切削インサートは、その上に切削インサートのインサート孔の断面楕円形の配向を示す記号を有している。
【００１５】
本発明の実施形態による割出し可能切削インサート１００を示す図１Ａ〜５Ａおよび１Ｂ〜５Ｂを参照する。図１Ａおよび１Ｂを特に参照すると、切削インサート１００は、第１の面１０２、第２の面１０４、周面１０６、インサート孔１０８、および記号１１２を含んでいる。切削インサート１００は、インサート孔１０８を貫通し、第１の面１０２および第２の面１０４に垂直な割出し軸Ａを有している。周面１０６と第１の面１０２との交差は、切刃１１６を画成している。
【００１６】
切削インサート１００は、切削動作において工作物に対して採用される新規の未使用の切刃部（不図示）を与えるために、割出し軸Ａを中心として回転される。割出し軸Ａは、それによって、インサート孔１０８の回転対称が与えられるため、孔軸Ａと呼ばれてもよい。インサート孔１０８は、インサート１００を貫通し、開口外形１１７において第１の面１０２に開口し、第２の面１０４に開口している。開口外形１１７は、外形直径Ｌを有する円形の外形である。インサート孔１０８は、例えば、図１Ｂにおいて見ると、孔軸Ａと垂直に取った場合、断面楕円形１１８を有する孔部１１０を含んでいる。楕円形１１８は、一次寸法Ｐ１と、一次寸法Ｐ１に垂直な二次寸法Ｐ２とを有している。一次寸法Ｐ１は通常、楕円形１１８の伸長された配置により、二次寸法Ｐ２よりも大きい。切削インサート１００は更に、切削インサート１００の中央を通り、一次寸法Ｐ１、第１の面１０２、および第２の面１０４と平行なねじ解放軸Ｍを有する。
【００１７】
孔部１１０の楕円形断面は、インサート受けポケットのねじ孔（両方とも不図示）からクランプねじを完全に取り外すことなく、クランプねじヘッド（不図示）によって切削インサート１００を抜き取ることを考慮していることに留意されたい。切削インサート１００をクランプねじから取り外すために、ねじは、所定量まで外されるが、依然として部分的にインサート受けポケットのねじ孔にねじ込まれたままであり、切削インサート１００は、ねじ解放軸Ｍを中心として回転される。これは、インサート孔１０８がクランプねじヘッドを越えて通ることを考慮し、それによって、切削インサート１００を、依然として部分的にインサート受けポケットにねじ込まれたままのクランプねじから外すことを考慮している。ねじ解放軸Ｍは、一次寸法Ｐ１と平行であるので、切削インサート１００を外すために必要な旋回方向は、一次寸法Ｐ１の配向によって示される。
【００１８】
記号１１２は、長寸法Ｄ１と、長寸法Ｄ１に垂直な短寸法Ｄ２とを有する楕円形仮想線１１４に一致する第１の面１０２上に位置している。長寸法Ｄ１は通常、楕円形仮想線１１４の細長い寸法により、短寸法Ｄ２よりも大きい。長寸法Ｄ１の配向は、孔軸Ａと垂直に見た場合、楕円形１１８の一次寸法Ｐ１の配向と実質的に類似している。長寸法Ｄ１は、一次寸法Ｐ１よりも大きい。記号１１２は、長寸法Ｄ１の配向を切削インサート１００の操作者に明確に示している。従って、一次寸法Ｐ１および楕円形１１８の配向も、操作者に対して明確に示されている。必要であれば、操作者は、クランプねじを必要な所定量まで外してもよく、次いで、切削インサートがインサート受けポケットから外れるまで、ねじ解放軸Ｍと平行な長寸法Ｄ１の配向を中心として切削インサート１００を回転してもよい。
【００１９】
切削インサート１００において、記号１１２は、楕円形仮想線１１４の一部と一致する２つの目に見える曲線１１１を含んでいる。短寸法Ｄ２は通常、外形直径Ｌよりも小さい。従って、楕円形仮想線１１４の一区間は、孔１０８の開口外形１１７内部にあり、記号が無くてもよい。このように、曲線１１１のみが第１の面１０２上に記され、操作者に明確に見える可能性がある。
【００２０】
従って、孔軸Ａに沿って見た場合、非円形インサート孔１０８は、インサート孔の第１の最大寸法（例えば、一次寸法Ｐ１）と、第１の最大寸法に垂直な第２の横断寸法（例えば、二次寸法Ｐ２）とによって画成される、関連する最小外接矩形１１３（図５Ｂに示す）を有し、表面１０２および／または１０４上の記号１１２が、最小外接矩形１１３の配向を示すと考えられてもよい。
【００２１】
ここで図６Ａおよび６Ｂを参照すると、開示技術の代替実施形態によれば、切削インサート１００において、楕円形仮想線１１４の短寸法Ｄ２は、外形直径Ｌよりも大きい（すなわち、Ｄ２＞Ｌ）。この場合、開口外形１１７を囲む楕円形仮想線１１４の全体に沿った記号１６２を作成することができる。
【００２２】
開示発明の更なる代替実施例を示す図７を参照する。本実施形態によれば、切削インサート１００は、その第１の面上に記号１７２を含んでいる。記号１７２は、孔１０８の両側に位置し、断面楕円形１１８の二次寸法Ｐ２と平行な２つの両側矢印１７４を含んでいる。二重矢印１７４は、操作者に対して断面楕円形１１８の配向を示し、それによって、本明細書中に上で詳述したように、操作者が、切削インサート１００をクランプねじヘッドから外すために、切削インサート１００を回転する必要のある方向を示している。
【００２３】
本発明による切削インサートがリバーシブルの切削インサートである場合、切削インサートは、その第２の面（例えば、第２の面１０４）上に記号１１２、１６２、または１７２と類似の別の記号を含んで、第２の面から見た場合に、孔部の楕円形断面の配向を示してもよいことに留意されたい。
【００２４】
開示技術による切削インサートは、金属切削作業に採用され、硬質金属、例えば、超硬合金、容易に加工されない硬質材料から構成されるのが好ましい。従って、切削インサートの表面上の記号（例えば、記号１１２、１６２、１７２）は、硬質金属に刻印できる公知のいずれの刻印方法によって備えられてもよい。かかる刻印方法の例には、レーザーマーキングまたは彫刻がある。刻印は更に、インサート製造過程中に、例えば、プレスまたは射出成形によって切削インサートを形成するために用いられる金型に記号を組み込むことによって達成されてもよい。かかる場合において、記号は、完成したインサートの表面上の浮き出し外形を構成していてもよい。
【００２５】
本発明をある程度の具体性をもって説明してきたが、種々の変更および改良が、以下で特許請求される本発明の精神または範囲から逸脱することなく行われてもよいことは言うまでもない。
【図１Ａ】
2015506281.tif 000003
【図１Ｂ】
2015506281.tif 000004
【図２Ａ】
2015506281.tif 000005
【図２Ｂ】
2015506281.tif 000006
【図３Ａ】
2015506281.tif 000007
【図３Ｂ】
2015506281.tif 000008
【図４Ａ】
2015506281.tif 000009
【図４Ｂ】
2015506281.tif 000010
【図５Ａ】
2015506281.tif 000011
【図５Ｂ】
2015506281.tif 000012
【図６Ａ】
2015506281.tif 000013
【図６Ｂ】
2015506281.tif 000014
【図７】
2015506281.tif 000015
【国際調査報告】
2015506281.tif 000016
2015506281.tif 000017
2015506281.tif 000018